(57)【要約】【課題】ＩＣタグ等のシート状の被貼り付け物を、紙管等の筒状体の内周面に作業性よく貼り付けることができる筒状体の内周面貼り付け方法及びその装置の提供を図る。【解決手段】被貼り付け物ａを支持する回転ローラ２１と、この回転ローラ２１と略平行に配位され得る押さえ部材３１とを備える。回転ローラ２１と押さえ部材３１とは、互いに接近離反可能に配位される。被貼り付け物ａを支持させた状態の回転ローラ２１を、筒状体ｂの開口端から内部に挿入して筒状体ｂの内周面に圧接させると共に、押さえ部材３１を筒状体ｂに圧接させる。被貼り付け物ａと筒状体ｂを相対的に回転させることにより、筒状体ｂの内周面に被貼り付け物ａを貼り付ける。【選択図】図２
2010222042.tif 000002
【特許請求の範囲】
【請求項１】
シート状の被貼り付け物を支持する回転ローラと、この回転ローラと略平行に配位され得る押さえ部材とを備え、
この回転ローラと押さえ部材とは、互いに接近離反可能に配位され、
上記被貼り付け物を支持させた状態の上記回転ローラを、上記筒状体の開口端から内部に挿入して上記筒状体の内周面に圧接させると共に、上記押さえ部材を上記筒状体に圧接させた状態で、上記回転ローラを筒状体に対して相対的に回転させることにより、筒状体の内周面にシート状体を貼り付けるようにしたことを特徴とする内周面貼り付け装置。
【請求項２】
請求項１に記載の内周面貼り付け装置を用いて筒状体の内周面にシート状体を貼り付ける方法であり、
上記回転ローラと上記押さえ部材とは、それぞれが互いに離反する方向に付勢された支持軸によって支持され、
この付勢に抗して上記回転ローラ及び上記押さえ部材と接近させた状態で、上記筒状体の開口端から内部に挿入した後、上記回転ローラ及び上記押さえ部材を上記の付勢によって上記筒状体の内周面に圧接させ、
筒状体の軸方向から見て、上記回転ローラと上記押さえ部材とが上記筒状体の中心を挟んで反対側に位置した状態で、上記回転ローラを筒状体に対して相対的に回転させることにより、筒状体の内周面にシート状体を貼り付けるようにしたことを内周面貼り付け方法。
【請求項３】
請求項１に記載の内周面貼り付け装置を用いて筒状体の内周面にシート状体を貼り付ける方法であり、
上記回転ローラと上記押さえ部材とは、それぞれが互いに離反する方向に付勢された支持軸によって支持され、
この付勢により、上記回転ローラ及び上記押さえ部材とを離反させた状態で、上記回転ローラを上記筒状体の開口端から内部に挿入すると共に上記押さえ部材を筒状体の外周面に沿わせた後、上記付勢に抗して上記回転ローラと上記押さえ部材とを接近させることにより、上記回転ローラを上記筒状体の内周面に圧接させると共に上記押さえ部材を上記筒状体の外周面に圧接させ、
筒状体の軸方向から見て、上記回転ローラと上記押さえ部材とで上記筒状体を挟んだ状態で、上記回転ローラを筒状体に対して相対的に回転させることにより、筒状体の内周面にシート状体を貼り付けるようにしたことを特徴とする請求項１記載の内周面貼り付け方法。
【請求項４】
上記シート状体の一方の面に粘着力が付与され、上記粘着力よりも弱い微粘着力によってシート状体の他方の面と上記回転ローラとを仮貼り付けし、
上記回転ローラを筒状体に対して相対的に回転させることにより、上記シート状体の一方の面とを上記シート状体の筒状体の内周面に貼り付けるようにしたことを特徴とする請求項２又は３に記載の内周面貼り付け方法。
【請求項５】
上記筒状体が紙管であり、上記シート状体がＩＣチップ及びこれに接続された無線アンテナを有するＩＣタグを備えたものであることを特徴とする請求項２〜４の何れかに記載の内周面貼り付け方法。
【発明の詳細な説明】
【技術分野】
【０００１】
本願発明は、内周面貼り付け方法及びその装置、特に、紙管の内周面にＩＣタグを貼り付けるのに適した方法及び装置に関するものである。
【背景技術】
【０００２】
【特許文献１】特開２００７−１４５５９３号公報
【特許文献２】特開２００７−２９０８５６号公報
【特許文献３】特開２００８−１８６４２２号公報
【０００３】
従来から、紙、フィルム、糸、布などを巻き付けるための巻芯として用いられる紙管にＩＣタグを取り付け、これに被巻き付け物の種類、製造履歴、巻き付け残量などの、被巻き付け物に関する情報を記録することが行われている。
【０００４】
例えば、特許文献１及び３には紙管の内周面にＩＣタグを装着する構造が開示され、特許文献２及び３にはＩＣタグを装着するための装置や治具が開示されている。
ところが、特許文献１〜３は、ＩＣタグを装着するに際して、粘着剤を用いずに、ＩＣタグのシートの弾性や、ＩＣタグを貼り付けた板状体の弾性によって、紙管の内面にＩＣタグを装着する方法や装置に関するものである。
【発明の開示】
【発明が解決しようとする課題】
【０００５】
本願発明は、ＩＣタグ等のシート状の被貼り付け物を、紙管等の筒状体の内周面に作業性よく貼り付けることができる内周面貼り付け方法及びその装置の提供を図ることを課題とする。
【課題を解決するための手段】
【０００６】
本願の請求項１に係る発明は、シート状の被貼り付け物を支持する回転ローラと、この回転ローラと略平行に配位され得る押さえ部材とを備え、この回転ローラと押さえ部材とは、互いに接近離反可能に配位され、上記被貼り付け物を支持させた状態の上記回転ローラを、上記筒状体の開口端から内部に挿入して上記筒状体の内周面に圧接させると共に、上記押さえ部材を上記筒状体に圧接させた状態で、上記回転ローラを筒状体に対して相対的に回転させることにより、筒状体の内周面にシート状体を貼り付けるようにしたことを特徴とする内周面貼り付け装置を提供する。
本願の請求項２に係る発明は、請求項１に記載の内周面貼り付け装置を用いて筒状体の内周面にシート状体を貼り付ける方法であり、上記回転ローラと上記押さえ部材とは、それぞれが互いに離反する方向に付勢された支持軸によって支持され、この付勢に抗して上記回転ローラ及び上記押さえ部材と接近させた状態で、上記筒状体の開口端から内部に挿入した後、上記回転ローラ及び上記押さえ部材を上記の付勢によって上記筒状体の内周面に圧接させ、筒状体の軸方向から見て、上記回転ローラと上記押さえ部材とが上記筒状体の中心を挟んで反対側に位置した状態で、上記回転ローラを筒状体に対して相対的に回転させることにより、筒状体の内周面にシート状体を貼り付けるようにしたことを内周面貼り付け方法を提供する。
本願の請求項３に係る発明は、請求項１に記載の内周面貼り付け装置を用いて筒状体の内周面にシート状体を貼り付ける方法であり、上記回転ローラと上記押さえ部材とは、それぞれが互いに離反する方向に付勢された支持軸によって支持され、この付勢により、上記回転ローラ及び上記押さえ部材とを離反させた状態で、上記回転ローラを上記筒状体の開口端から内部に挿入すると共に上記押さえ部材を筒状体の外周面に沿わせた後、上記付勢に抗して上記回転ローラと上記押さえ部材とを接近させることにより、上記回転ローラを上記筒状体の内周面に圧接させると共に上記押さえ部材を上記筒状体の外周面に圧接させ、筒状体の軸方向から見て、上記回転ローラと上記押さえ部材とで上記筒状体を挟んだ状態で、上記回転ローラを筒状体に対して相対的に回転させることにより、筒状体の内周面にシート状体を貼り付けるようにしたことを特徴とする請求項１記載の内周面貼り付け方法を提供する。
本願の請求項４に係る発明は、上記シート状体の一方の面に粘着力が付与され、上記粘着力よりも弱い微粘着力によってシート状体の他方の面と上記回転ローラとを仮貼り付けし、上記回転ローラを筒状体に対して相対的に回転させることにより、上記シート状体の一方の面とを上記シート状体の筒状体の内周面に貼り付けるようにしたことを特徴とする請求項２又は３に記載の内周面貼り付け方法を提供する。
本願の請求項５に係る発明は、上記筒状体が紙管であり、上記シート状体がＩＣチップ及びこれに接続された無線アンテナを有するＩＣタグを備えたものであることを特徴とする請求項２〜４の何れかに記載の内周面貼り付け方法を提供する。
【発明の効果】
【０００７】
本願発明に係る内周面貼り付け装置は、１）被貼り付け物を回転ローラに支持させ、２）回転ローラを筒状体の開口端から内部に挿入して筒状体の内周面に圧接させ、３）押さえ部材を上記筒状体に圧接させた状態で、回転ローラを筒状体に対して相対的に回転させるという、簡単な作業工程で被貼り付け物を筒状体の内周面に貼り付けることができるものである。
上記回転ローラと上記押さえ部材とは、それぞれが互いに離反する方向に付勢された支持軸によって支持され、この付勢に抗して上記回転ローラと上記押さえ部材とを接近させた状態で、上記筒状体の開口端から内部に挿入した後、上記回転ローラと上記筒状体とを上記の付勢によって上記筒状体の内周面に圧接させるようにすることで、上記回転ローラは筒状体内で安定した状態を維持することができ、確実にシート状体を貼り付けることができる。
また、上記回転ローラを上記筒状体の内周面に圧接させると共に上記押さえ部材を上記筒状体の外周面に圧接させ、筒状体の軸方向から見て、上記回転ローラと上記押さえ部材とで上記筒状体を挟んだ状態で、上記回転ローラを筒状体に対して相対的に回転させて、筒状体の内周面にシート状体を貼り付けるようにすることで、上記回転ローラと上記押さえ部材との両者を挿入できないような小さな筒状体にあっても、シート状体の貼り付けが可能となる。
上記シート状体を回転ローラに支持させる手段としては、回転ローラにエア吸引や静電気による吸着手段を設けて、その吸着力でシート状体を回転ローラ表面に支持させることもできるが、回転ローラは文字通り回転するものであるため、エア吸引や静電気の吸着手段を用いると、装置が複雑なものとなる。
そのため、部材上記シート状体の一方の面に粘着力を付与して、上記粘着力よりも弱い微粘着力によってシート状体の他方の面と上記回転ローラとが仮貼り付けし、上記回転ローラを筒状体に対して相対的に回転させることにより、上記シート状体の一方の面とを上記シート状体の筒状体の内周面に貼り付けるようにすることで、回転ローラの構造をシンプルにすることができる。
さらに、上記筒状体が紙管であり、上記シート状体がＩＣチップ及びこれに接続された無線アンテナを有するＩＣタグを備えたものとすることにより、ＩＣタグを紙管内面に装着する新たで且つ能率的な方法を提供することができたものである。
【発明を実施するための最良の形態】
【０００８】
以下、図面に基づき本願発明の実施の形態を説明する。図１（Ａ）は本願の一実施の形態に係る内周面貼り付け装置の側面図であり、（Ｂ）は同装置の正面図であり、（Ｃ）は同装置の作動状態の側面図である。図２（Ａ）は同装置を紙管内に挿入した状態の側面から見た説明図であり、（Ｂ）は同装置によるシート状体の貼り付け方法の側面から見た説明図である。
【０００９】
この実施の形態の内周面貼り付け装置１１は、紙管、合成樹脂管、金属管などの筒状体ｂの内周面に被貼り付け物ａを貼り付けるための装置であり、この例では、人が手でもって貼り付け作業を行うのに適した一種の治具として実施されている。被貼り付け物ａとしては、ＩＣチップ及びこれに接続された無線アンテナを有するシート状のＩＣタグや、ラベルなどの種々の素材で種々の用途に使用されるものを用いる。被貼り付け物ａの裏面には粘着剤または接着剤が、塗布や積層されており、その粘着性（接着性を含む、以下同じ）で筒状体ｂの内周面に貼り付けられるが、被貼り付け物ａには粘着性を持たせずに、筒状体ｂの内周面に粘着性を持たせるようにしてもよい。
【００１０】
この内周面貼り付け装置１１は、被貼り付け物ａを支持する回転ローラ２１と、この回転ローラ２１と略平行に配位され得る押さえ部材３１とを備える。回転ローラ２１は、円柱形状をなしており、ローラ支持軸２４によって回転可能に軸支されている。押さえ部材３１も円柱形状をなしており、押さえ支持軸３２によって回転可能に軸支されている。
【００１１】
回転ローラ２１は、内部に中心部２３を備え、この中心部２３は、円柱形状をなしており、ローラ支持軸２４によって回動可能に支持されている。この中心部２３の表面に円筒形の粘着筒２２が着脱可能に装着されている。粘着筒２２は、ブチル系やスチレン系のエラストマーなどにより形成された粘着性を有する筒状体から構成されるが、粘着性を備えた樹脂シートを表面に巻回したものであってもよい。この粘着筒２２の粘着性は、前記の被貼り付け物ａと筒状体ｂとの間の粘着性よりも弱い微粘着力を備えたものとしておく。
【００１２】
粘着筒２２は、粘着筒２２自身の弾性によって、中心部２３の表面に固定されるが、係止突起などの適宜固定手段や回り止めの手段を付加してもよい。
【００１３】
次に押さえ部材３１は、押圧力を加えるための部材であるため、粘着性を備える必要はなく、金属、合成樹脂などの適宜素材で構成され得るもので、表面に弾性を備えたものとして実施してもよい。また前述の回転ローラ２１は、ローラ支持軸２４に対して回転し得ることが必須であるが、押さえ部材３１は押さえ支持軸３２に対して回転する必要は必ずしもなく、筒状体ｂの内周面に対して大きな抵抗なく滑り移動できるものであってもよい。
【００１４】
回転ローラ２１を支持するローラ支持軸２４と、押さえ部材３１を支持する押さえ支持軸３２とは、直線状の平行移動するように、それぞれの基端側で平行リンク機構を有する。具体的には、第１連結アーム１２と第２連結アーム１３とが、４つの支点１４で回動可能に連結されている。このリンクは自由状態として、人や他の装置などによって動くようにしてもよいが、この例では、常時開き方向（回転ローラ２１と押さえ部材３１とが遠ざかる方向）に付勢されている。具体的には、押さえ支持軸３２に設けられた第１バネ固定点１５と第１連結アーム１２との間に第１引っ張りバネ１７が配設され、ローラ支持軸２４に設けられた第２バネ固定点１６と第２連結アーム１３との間に第２引っ張りバネ１８が配設されている。なお、回動し過ぎて、これらのバネが閉じ方向に付勢しないように、希望の開き状態で停止させるストッパを設けておくことも望ましい。
【００１５】
この内周面貼り付け装置１１で被貼り付け物ａを筒状体ｂに貼り付ける方法を説明する。
回転ローラ２１の表面に、被貼り付け物ａを支持させる。被貼り付け物ａの表面（原則して粘着性はない）を、粘着筒２２の表面に沿わせることによって、粘着筒２２の微粘着力によって、被貼り付け物ａの表面と回転ローラ２１表面に支持される（図１）。
【００１６】
ローラ支持軸２４と押さえ支持軸３２との基端側を人の手で握ったり、あるいは、機械操作でローラ支持軸２４と押さえ支持軸３２と接近させることにより、回転ローラ２１と押さえ部材３１との間隔をバネ（第１引っ張りバネ１７、第２引っ張りバネ１８）の付勢力に抗して閉じる。通常は回転ローラ２１と押さえ部材３１とが当たるまで閉じればよいが、筒状体ｂ内に挿入できる程度でよい。
【００１７】
閉じた状態で、筒状体ｂの中空空間内に内周面貼り付け装置１１を挿入する（図２（Ａ））。
握った手を離すなどして、閉じ方向の力を解除する。バネの付勢によって、回転ローラ２１と押さえ部材３１との間隔が開いて、両者が筒状体ｂの内周面に圧接する（図２（Ｂ））。このとき、回転ローラ２１と押さえ部材３１とは、筒状体ｂの中心を挟んで反対側に位置した状態であり、内周面貼り付け装置１１は安定した状態で筒状体ｂ内に配置される。なお、回転ローラ２１と押さえ部材３１とは、複数個設けることも可能である。回転ローラ２１を１個に対して、押さえ部材３１を複数設けて安定性を増すようにしてもよく、回転ローラ２１を複数設けて２枚以上の被貼り付け物ａを同時貼り付けるようにする一方、押さえ部材３１を１個あるいは複数個設けるようにしてもよい。
【００１８】
圧接状態のまま、内周面貼り付け装置１１（または筒状体ｂ）を回転させる。これにより、微粘着力で回転ローラ２１に支持されていた被貼り付け物ａが、この微粘着力よりも強い被貼り付け物ａ裏面と筒状体ｂ内周面との粘着力により、筒状体ｂの内周面側に貼り付けられる。
【００１９】
内周面貼り付け装置１１の回転は、被貼り付け物ａの範囲内でも足るが、望ましくは、筒状体ｂの内周面側に貼り付けられた被貼り付け物ａの上を、押さえ部材３１が通過して、再度押圧することにより、より確実な貼り付けが実現するようにする。
貼り付け完了後は、再度、回転ローラ２１と押さえ部材３１との間隔を閉じて、筒状体ｂから内周面貼り付け装置１１を引き抜く。
【００２０】
次に、図３に基づき他の実施の形態について説明する。
先の例では、回転ローラ２１と押さえ部材３１とが平行移動して開閉する例を示したが、この図３の例では、回転ローラ２１と押さえ部材３１とが回動して開閉する内周面貼り付け装置１１を示すもので、下記に示した以外は、先の例と実質的に同様とする。
【００２１】
押さえ部材３１は、その両端（一端のみでも可）を、押さえ支持部３３によって回動可能に支持されている。この押さえ支持部３３は回動軸３４によって押さえアーム３５に回動可能に接続されている。そして、この押さえアーム３５と回転ローラ２１のローラ支持軸２４とが、ヒンジ１９によって回動可能に接続されているものである。
【００２２】
この例では、回転ローラ２１のみを、筒状体ｂ内に挿入するもので、押さえ部材３１は筒状体ｂの外周面に配位されるもので、筒状体ｂは両者間に挟まれる。その際、回動軸３４によって、押さえ部材３１と押さえアーム３５とが回動可能に支持されるため、筒状体ｂに沿って挟まれた際に、押さえ部材３１は回転ローラ２１及び筒状体ｂと平行となる。使用方法は先の例と同じであるが、回転ローラ２１と押さえ部材３１とで筒状体ｂを挟んだ状態で、内周面貼り付け装置１１（または筒状体ｂ）を回転させる。
【００２３】
ローラ支持軸２４と押さえアーム３５とは、バネ（図示せず）による付勢を加えてもよい。付勢方向は、回転ローラ２１と押さえ部材３１とが開く方向でもよく、閉じる方向でもよい。開く方向に付勢した場合には、回転ローラ２１と押さえ部材３１とで筒状体ｂを挟んだ状態で、閉じる方向にローラ支持軸２４と押さえアーム３５とを握ったり他の装置で力を加えるなどすればよい。逆に、閉じる方向に付勢した場合には、回転ローラ２１を筒状体ｂに挿入する際に、開く方向にローラ支持軸２４と押さえアーム３５とを引っ張ったり他の装置で力を加えるなどすればよい。
【００２４】
以上の実施の形態の他、本願発明は種々変更して実施することができる。例えば、内周面貼り付け装置１１は人が手で持って操作するのに適する治具として実施しているが、自動機や半自動機に組み込んで実施することができる。また、回転ローラ２１は被貼り付け物ａを微粘着力によって支持したものとしたが、エアの吸引や、静電気などによって、被貼り付け物ａを回転ローラ２１表面に吸着するようにしてもよい。
【図面の簡単な説明】
【００２５】
【図１】（Ａ）は本願の一実施の形態に係る内周面貼り付け装置の側面図であり、（Ｂ）は同装置の正面図であり、（Ｃ）は同装置の作動状態の側面図である。
【図２】（Ａ）は同装置を紙管内に挿入した状態の側面から見た説明図であり、（Ｂ）は同装置によるシート状体の貼り付け方法の側面から見た説明図である。
【図３】本願の他の実施の形態に係る内周面貼り付け装置の側面図である。
【符号の説明】
【００２６】
１１  内周面貼り付け装置
１２  第１連結アーム
１３  第２連結アーム
１４  支点
１５  第１バネ固定点
１６  第２バネ固定点
１７  第１引っ張りバネ
１８  第２引っ張りバネ
１９  ヒンジ
２１  回転ローラ
２２  粘着筒
２３  中心部
２４  ローラ支持軸
３１  押さえ部材
３２  押さえ支持軸
３３  押さえ支持部
３４  回動軸
３５  押さえアーム
ａ  被貼り付け物
ｂ  筒状体
【図１】
2010222042.tif 000003
【図２】
2010222042.tif 000004
【図３】
2010222042.tif 000005